(57)【要約】【課題】窓の扉体と窓サッシとの隙間から塵埃等が室内側へ入り込んだ場合の清掃が簡単な掃除装置を提供すること。【解決手段】窓サッシ２には、障子パネル４、４が配設され、掃除装置５を下の窓枠体１Ｃの薄板部１ＣＣ上に配設する。掃除装置５は、前記薄板部１ＣＣ上に着脱自在に載置される合成樹脂製の回収箱体６と、この回収箱体６に設けられる掃除体７とから構成される。そして、前記掃除体７は、回収箱体６の前側壁６Ａ及び後側壁６Ｂの左右部に形成した切欠部６Ｃに回転可能に支持されると共に室内側に摘み１０を有する少なくとも一対の回転軸体８、８と、この一対の回転軸８、８間に張架されて前記回収箱体６内に配設される掃除用布又は掃除用紙である塵埃等捕捉体９とから構成される。そして、回収箱体６内には掃除用液体を充填し、この液体を塵埃等捕捉体９に浸み込ませる。【選択図】図２
2010001690.tif 000002
【特許請求の範囲】
【請求項１】
窓の開口の内側に溜まる塵埃等を掃除する掃除装置であって、前記窓の開口の室内側に位置する下板体上に着脱自在に配設されると共に上面が開口せる回収箱体と、この回収箱体に回転可能に支持される少なくとも一対の回転軸体とこの一対の回転軸間に張架されてこの回収箱体内に配設される塵埃等捕捉体とから成る掃除体とを設けたことを特徴とする掃除装置。
【請求項２】
窓の開口の内側に溜まる塵埃等を掃除する掃除装置であって、前記窓の開口の室内側に位置する下板体の開口又は凹部内に着脱自在に配設されると共に上面が開口せる回収箱体と、この回収箱体に回転可能に支持される少なくとも一対の回転軸体とこの一対の回転軸間に張架されて掃除用液体が浸み込まれ前記回収箱体内に配設される塵埃等捕捉体とから成る掃除体とを設けたことを特徴とする掃除装置。
【請求項３】
窓の開口の内側に溜まる塵埃等を掃除する掃除装置であって、前記窓の開口の室内側に位置する下板体上に着脱自在に配設されると共に上面が開口せる回収箱体と、この回収箱体内に配設される塵埃等捕捉体とから成る掃除体とを設けたことを特徴とする掃除装置。
【請求項４】
窓の開口の内側に溜まる塵埃等を掃除する掃除装置であって、前記窓の開口の室内側に位置する下板体の開口又は凹部内に着脱自在に配設されると共に上面が開口せる回収箱体と、掃除用液体が浸み込まれ前記回収箱体内に配設される塵埃等捕捉体とから成る掃除体とを設けたことを特徴とする掃除装置。
【発明の詳細な説明】
【技術分野】
【０００１】
本発明は、窓の開口の内側に溜まる塵埃等を掃除する掃除装置に関する。
【背景技術】
【０００２】
一般に、窓の扉体と窓サッシの隙間からホコリ等が室内側へ入り込むので、掃除しなければならず、面倒な作業となる。このため、前記窓サッシに様々な工夫を凝らして、ホコリ等が室内側へ入り込むのを防止したり、またレール上に溜まった場合の掃除をし易くしている（例えば、特許文献１参照）
【特許文献１】特開２００５−２３２９５２号公報
【発明の開示】
【発明が解決しようとする課題】
【０００３】
しかしながら、どうしても窓の扉体と窓サッシの隙間から塵埃等が室内側へ入り込むので、室内側の窓サッシを取り付ける枠体の下板体上に溜まることとなり、この清掃が大変である。
【０００４】
そこで本発明は、上記の点に鑑み、窓の扉体と窓サッシとの隙間から塵埃等が室内側へ入り込んだ場合の清掃が簡単な掃除装置を提供することを目的とする。
【課題を解決するための手段】
【０００５】
このため第１の発明は、窓の開口の内側に溜まる塵埃等を掃除する掃除装置であって、前記窓の開口の室内側に位置する下板体上に着脱自在に配設されると共に上面が開口せる回収箱体と、この回収箱体に回転可能に支持される少なくとも一対の回転軸体とこの一対の回転軸間に張架されてこの回収箱体内に配設される塵埃等捕捉体とから成る掃除体とを設けたことを特徴とする。
【０００６】
第２の発明は、窓の開口の内側に溜まる塵埃等を掃除する掃除装置であって、前記窓の開口の室内側に位置する下板体の開口又は凹部内に着脱自在に配設されると共に上面が開口せる回収箱体と、この回収箱体に回転可能に支持される少なくとも一対の回転軸体とこの一対の回転軸間に張架されて掃除用液体が浸み込まれ前記回収箱体内に配設される塵埃等捕捉体とから成る掃除体とを設けたことを特徴とする。
【０００７】
第３の発明は、窓の開口の内側に溜まる塵埃等を掃除する掃除装置であって、前記窓の開口の室内側に位置する下板体上に着脱自在に配設されると共に上面が開口せる回収箱体と、この回収箱体内に配設される塵埃等捕捉体とから成る掃除体とを設けたことを特徴とする。
【０００８】
第４の発明は、窓の開口の内側に溜まる塵埃等を掃除する掃除装置であって、前記窓の開口の室内側に位置する下板体の開口又は凹部内に着脱自在に配設されると共に上面が開口せる回収箱体と、掃除用液体が浸み込まれ前記回収箱体内に配設される塵埃等捕捉体とから成る掃除体とを設けたことを特徴とする。
【発明の効果】
【０００９】
本発明によれば、窓の扉体と窓サッシとの隙間から塵埃等が室内側へ入り込んだ場合の清掃が簡単な掃除装置を提供することができる。
【発明を実施するための最良の形態】
【００１０】
以下図１乃至図４に基づき、本発明の実施の形態について説明する。先ず、１は窓の開口部を形成する木製の窓枠体で、図１では左右の窓枠体１Ａ、１Ｂと下の窓枠体１Ｃのみ図示し、上の窓枠体は図示していない。この窓枠体１の内側にはアルミニウム製の窓サッシ２が嵌め込み固定されている。この窓サッシ２も同様に、左の窓枠材２Ａ、下の窓枠材２Ｃを図示し、上と右の窓枠材は図示していない。この上下の窓枠材には、レール３を備えている。
【００１１】
そして、この窓サッシ２には、前記上下の窓枠材の各レール３に沿って移動して開閉するガラスとこのガラスを囲む枠体からなる扉体である障子パネル４、４が配設される。なお、図３に示すように、前記下の窓枠体１Ｃは、室内側を薄く形成し、後述する掃除装置５をその薄板部１ＣＣ上に配設する。
【００１２】
即ち、掃除装置５は、前記下の窓枠体１Ｃの薄板部１ＣＣ上に着脱自在に載置される合成樹脂製の回収箱体６と、この回収箱体６に設けられる掃除体７とから構成される。なお、前記下の窓枠体１Ｃに開口部又は凹部を形成して、この開口部又は凹部内に前記回収箱体６を着脱自在に配設してもよい。
【００１３】
前記掃除体７は、前記回収箱体６の前側壁６Ａ及び後側壁６Ｂの左右部に形成した切欠部６Ｃに回転可能に支持されると共に室内側に摘み１０を有する少なくとも一対の回転軸体８、８と、この一対の回転軸８、８間に張架されて前記回収箱体６内に配設される掃除用布又は掃除用紙である塵埃等捕捉体９とから構成される。この場合、この一対の回転軸８、８のいずれか一方には塵埃等捕捉体９の端部が固定され、他方には塵埃等捕捉体９が巻かれてある（図４参照）。そして、前記回収箱体６内には掃除用液体を充填し、この液体を前記塵埃等捕捉体９に浸み込ませる。
【００１４】
前記回転軸体８は、前記摘み１０を使用者が持って回すと回転するものであればよく、前記摘み１０を備えると共に切欠部６Ｃに嵌合する細径部８Ａと塵埃等捕捉体９が巻かれる太径部８Ｂとを備えており、細径部８Ａと太径部８Ｂ９とは予め一体に形成する。しかし、太径部を中空円筒体で構成し、この中空部内に細径部を挿入して一体化してもよい。
【００１５】
このような構成にして、左右一対の回転軸体８、８間に下から且つ外側から塵埃等捕捉体９を巻いて張架し、一対の回転軸８、８の細径部８Ａを前記回収箱体６の前側壁６Ａ及び後側壁６Ｂの切欠部６Ｃ内に嵌入する。次いで、この回収箱体６内に掃除用液体を充填して前記塵埃等捕捉体９に浸み込ませた状態にして、この掃除装置５を前記下の窓枠体１Ｃの薄板部１ＣＣ上に載置する。
【００１６】
従って、窓サッシ２と障子パネル４、４との隙間から塵、ホコリやゴミが室内側へ入り込んでも、前記掃除装置５の回収箱体６内に回収されることとなる。即ち、回収箱体６内の前記塵埃等捕捉体９上にこの塵埃等が溜まることとなる。このため、使用者は一方又は両方の摘み１０をもって回転軸体８、８を一方向、即ち汚れた塵埃等捕捉体９を巻こうとする方向に回転させると、掃除されることとなる。また、前記塵埃等捕捉体９の汚れていない部分が両回転軸体８、８間に位置することなり、次の掃除に備えることとなる。
【００１７】
また、このようにして、前記塵埃等捕捉体９の汚れていない部分が無くなると、掃除装置５はそのまま移動させないで、両摘み１０を両手で持ちながら前記掃除体７を回収箱体６の切欠部６Ｃから上方へ取出して、新しく汚れていない塵埃等捕捉体９に取り替えて、回収箱体６内に戻せばよい。
【００１８】
あるいは、掃除装置５を前記下の窓枠体１Ｃの薄板部１ＣＣ上から取り外して、更に前記掃除体７を回収箱体６から取出して、更に両摘み１０を両手で持ちながら前記掃除体７を回収箱体６の切欠部６Ｃから上方へ取出して、新しく汚れていない塵埃等捕捉体９に取り替えて、回収箱体６内に戻し、この掃除装置５を前記下の窓枠体１Ｃの薄板部１ＣＣ上に載置すればよい。
【００１９】
なお、第２の実施形態について、図５に基づき説明する。第１の実施形態の前記掃除体７に代えて、第２の実施形態は塵埃等捕捉体として、掃除用液体を浸み込ませた又は浸み込ませていないスポンジ１１、掃除用布又は掃除用紙を使用して、これらを単に前記回収箱体６内に載置して配設する方法である。この場合には、塵埃等を捕捉して汚れた場合には、回収箱体６内からこのスポンジ１１等を取出して、はたいたり、水洗いなどして清掃し、再び回収箱体６内に戻すことにより、再利用ができる。
【００２０】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２１】
【図１】掃除体を配設する前の窓の斜視図である。
【図２】一部破断せる掃除装置の斜視図である。
【図３】回収箱体の左の切欠部における縦断右側面図である。
【図４】一対の回転軸体に塵埃等捕捉体を張架した状態の説明図である。
【図５】第２の実施形態の掃除形態の一部省略した斜視図である。
【符号の説明】
【００２２】
１                窓枠体
１Ｃ              下の窓枠体
１ＣＣ            薄板部
２                窓サッシ
４                障子パネル
５                掃除装置
６                回収箱体
７                掃除体
８                回転軸体
９                塵埃等捕捉体
１０              摘み
１１              スポンジ
【図１】
2010001690.tif 000003
【図２】
2010001690.tif 000004
【図３】
2010001690.tif 000005
【図４】
2010001690.tif 000006
【図５】
2010001690.tif 000007